(57)【要約】【課題】  紙切り板のロール紙面に対する弾圧力をロール紙ホルダの使用時に最終ユーザが手軽に設定変更可能にすること。【解決手段】  平面ほぼコ字状のロール紙ホルダＨにおける側体１の後部に起伏可能に後部を枢支した紙切り板５を所定開き角度を境界角として起伏二方向に付勢可能となしたロール紙ホルダを作るに当たり、、前記側体後部の枢支孔１Ａから側体外部に突出させた回転枢軸４に紙切り板５と連動する回動片６を取着し、この回動片６の近くにおける前記側体１にギヤ片７を枢支して、このギヤ片を側体１に枢支したウォームギヤ９と噛合させ、前記回動片６とギヤ片７との間に弾撥ばね８をその弾撥力に抗して介在し、このばねの弾撥力を前記ウォームギヤ９の回転操作によるギヤ片７の回動角変化に対応して可変することで、ロール紙３に対する紙切り板５の弾圧力を使用ロール紙の種類に適応させて可変設定可能となした。【選択図】      図１
2005102984.tif 000002
【特許請求の範囲】
【請求項１】
平面ほぼコ字状のロール紙ホルダにおける側体に突設したロール紙空心受けにロール紙をその空心で回転可能に支持し、前記側体後部の枢支孔に回転枢軸で起伏可能に後部を枢支した紙切り板を所定開き角度を境界角として起伏二方向に付勢することで、紙切り板の上開き状態とロール紙弾圧状態とを選択的に維持可能となし、かつ前記紙切り板の前辺下面を経て前方へ繰り出したロール紙の繰り出し部を前記紙切り板の前辺刃先でカット可能となしたロール紙ホルダにおいて、前記枢支孔から側体外部に突出させた回転枢軸に紙切り板と連動する回動片を取着し、この回動片の近くにおける前記側体にギヤ片を枢支してこのギヤ片を側体に枢支したウォームギヤと噛合させ、前記回動片とギヤ片との間に弾撥ばねをその弾撥力に抗して介在し、このばねの弾撥力を前記ウォームギヤの回転操作によるギヤ片の回動角変化に対応して可変することで、ロール紙に対する紙切り板の弾圧力を使用ロール紙の種類に適応させて可変設定可能となしたロール紙ホルダ。
【請求項２】
前記ギヤ片をその中間部で側体に枢支し、このギヤ片の後部と前記回動片との間に前記弾撥ばねを介在してなる請求項１に記載のロール紙ホルダ。
【請求項３】
前記ギヤ片をその後部で側体に枢支し、このギヤ片の中間部と前記回動片との間に前記弾撥ばねを介在してなる請求項１に記載のロール紙ホルダ。
【請求項４】
前記ウォームギヤの回転操作摘まみをロール紙ホルダの上部に突設した請求項１から請求項３までのいずれか一つの請求項に記載のロール紙ホルダ。
【発明の詳細な説明】
【技術分野】
【０００１】
この発明は、トイレットペーパなどのロール紙やラップフイルム、不織布等、ロール紙に近似したロール巻シート状物を保持するロール紙ホルダの改良に関する。
【背景技術】
【０００２】
この種のロール紙ホルダとしては、下記の非特許文献１に記載のものが周知である。
この従来の技術は、平面ほぼコ字状のロール紙ホルダにおける左右の側体の内面に突設したロール紙空心受けにロール紙をその空心で回転可能に支持し、このロール紙の上部前寄り外周面に前記ホルダの後部左右の枢支部で起伏可能に後部を枢支した紙切り板の前辺下面を圧接し、この前辺下面を経て前方へ繰り出したロール紙の繰り出し部を前記紙切り板の前辺刃先でカット可能となしたロール紙ホルダであって、前記紙切り板の枢支部から延びる紙切り板回動片のピンとホルダ側体の下部における固定ピンとの間に、板ばねをほぼΩ字状に弯曲形成した弾撥ばねをその固有弾撥力に抗して介在し、前記紙切り板の開き角度がロール紙上方約４５度付近を境界角として、紙切り板を起伏二方向に前記弾撥ばねの弾撥力で付勢して紙切り板の上開き状態とロール紙弾圧状態とを選択的に維持できるとしたロール紙ホルダである。
【非特許文献１】実用新案登録第３０６３１０３号公報
【発明の開示】
【発明が解決しようとする課題】
【０００３】
この従来の技術における紙切り板は、その開き角度がロール紙上方約４５度付近を境界角として、紙切り板を前記起伏二方向に前記弾撥ばねの弾撥力で付勢して紙切り板の上開き状態とロール紙弾圧状態とを選択的に維持可能となしたので、片手操作でロール紙の繰り出しと所望長カットおよびロール紙のホルダ内補充ができ、前記弾撥ばねは、ほぼΩ字状のため局部疲労によるばねの『ヘタリ』が生じづらく、その固有弾撥力は長期に亘り安定で、ロール紙紙切り板を起伏二方向に多数回確実に付勢できるとしている。
【０００４】
ところが、この従来例の前記弾撥ばねは、前記紙切り板の枢支部から延びる紙切り板回動片のピンとホルダ側体の下部に突設した不動のピンとの間に介在してあり、ばねの一端は不動であるから、弾撥ばねのすぼまり寸法すなわち、ばね弾撥力を後から人為的に変化できず、ロール紙ホルダの製造時にメーカ側で初期設定した不変のロール紙弾圧力のままで最終ユーザがホルダを使用する結果となるので、ロール紙の紙質やロール紙厚とか二枚合わせのロール紙など最終ユーザ好みの多種多様なロール紙に適応したロール紙弾圧力を最終ユーザが使用時に得ることができないという本質的かつ、大きな問題点が有る。
【０００５】
したがって、例えば二枚合わせのロール紙用として、メーカがロール紙弾圧力を強めに初期設定したロール紙ホルダに、ユーザが一枚ものロール紙をセットして使った場合、前記ロール紙弾圧力が強過ぎるため、繰り出し途中のロール紙が千切れてしまい使い物にならないし、この逆に一枚ものロール紙用にメーカが初期設定したロール紙弾圧力が弱めのロール紙ホルダに、二枚合わせのロール紙をセットして使った場合、ロール紙の繰り出し部を前記紙切り板の前辺刃先でカットしようとすると、紙切り板のロール紙に対する前記弾圧力が弱過ぎるため、紙切り板がロール紙切断応力で浮き上がってカットすることができず、これまた使い物にならないという本質的かつ、大きな問題点が有る。
【０００６】
この発明の目的は、紙切り板のロール紙面に対する弾圧力を最終ユーザが使用時に変更可能とすることで、多種多様なロール紙に適応したロール紙弾圧力をユーザが手軽に設定変更できるようにすることを目的とする。
【課題を解決するための手段】
【０００７】
上記したこの発明の目的は、平面ほぼコ字状のロール紙ホルダにおける側体に突設したロール紙空心受けにロール紙をその空心で回転可能に支持し、前記側体後部の枢支孔に回転枢軸で起伏可能に後部を枢支した紙切り板を所定開き角度を境界角として起伏二方向に弾撥ばねで付勢することで、紙切り板の上開き状態とロール紙弾圧状態とを選択的に維持可能となし、かつ前記紙切り板の前辺下面を経て前方へ繰り出したロール紙の繰り出し部を前記紙切り板の前辺刃先でカット可能となしたロール紙ホルダを構成するに当たり、前記側体後部の枢支孔から側体外部に突出させた回転枢軸に紙切り板と連動する回動片を取着し、この回動片の近くにおける前記側体にギヤ片を枢支してこのギヤ片を側体に枢支したウォームギヤと噛合させ、前記回動片とギヤ片との間に弾撥ばねをその弾撥力に抗して介在し、このばねの弾撥力を前記ウォームギヤの回転操作によるギヤ片の回動角変化に対応して可変することで、ロール紙に対する紙切り板の弾圧力を使用ロール紙の種類に適応させて可変設定可能としたことで達成できた。
【発明の効果】
【０００８】
本発明は、以上のような手段を採用したので、以下に記載の効果を奏する。
本発明における請求項１の発明によれば、平面ほぼコ字状のロール紙ホルダにおける側体後部の枢支孔に回転枢軸で起伏可能に後部を枢支した紙切り板を所定開き角度を境界角として起伏二方向に付勢可能となしたロール紙ホルダを作るに当たり、前記枢支孔から側体外部に突出させた回転枢軸に紙切り板と連動する回動片を突設し、この回動片の近くにおける前記側体にウォームギヤと噛合したギヤ片を枢支し、このギヤ片と前記回動片との間に弾撥ばねをその固有弾撥力に抗して介在することで、この弾撥ばねの弾撥力を前記ウォームギヤの回転操作によるギヤ片の回動角変化に対応させて変化できるから、中程度の切断力で切断できる極く普通のロール紙や、外力に対し強く切断しづらいロール紙とか、薄手一枚で紙力が弱く切り易いロール紙など、多種多様なロール紙に対する紙切り板の弾圧力を最終ユーザ自身が即座に適応させて使用時に設定変更でき、ユーザの多様な要望に即応できるという優れた効果が有る。
【０００９】
本発明における請求項２の発明によれば、前記ギヤ片をその中間部でシーソー式に側体に枢支し、このギヤ片の後部と前記回動片との間に前記弾撥ばねを介在したので、ギヤ片の全長を可及的に短くでき、ギヤ片に噛合するウォームギヤの枢支スペースに余裕ができるから、より一層実施し易くなったという効果を付加でき、また本発明による請求項３の発明では、前記ギヤ片をその後部で側体に枢支し、このギヤ片の中間部と前記回動片との間に前記弾撥ばねを介在したので、テコの原理により、ギヤ片とウォームギヤとの噛合部分に加わる弾撥ばね応力を軽減できると共に、上記噛合部分の回動寸法よりも小さい寸法変化で弾撥ばねのすぼまり寸法、すなわち弾撥ばねの弾撥力を調節でき、ロール紙に対する紙切り板の弾圧力調節操作をより一層精確にできるという効果を付加でき、さらに本発明による請求項４の発明によれば、前記ウォームギヤの回転操作摘まみをロール紙ホルダの上部に突設したので、ロール紙に対する紙切り板の弾圧力調節操作をロール紙ホルダの上部で容易かつ、簡単に実行できるという効果を付加できた。
【発明を実施するための最良の形態】
【００１０】
本発明の実施の形態例について図面を参照して説明する。
先ず、この発明の基本形態は、図１に示すように金属やプラスチックなどで平面ほぼコ字形に成形したロール紙ホルダＨにおける左右の側体１の内面に自己突出復帰するロール紙空心受け２（または一つの側体１に片持ち枢支した自己水平復帰の心棒状ロール紙空心受け）を周知手段で突設し、この空心受け２にロール紙３をその空心３Ａ（または芯管３Ｃ）で図２のように回転可能に支持し、前記ホルダ側体１の後部左右の枢支孔１Ａに回転枢軸４を通して起伏可能に紙切り板５の後部を図１および図２のように枢支し、この紙切り板５を後述する弾撥ばねにより所定開き角度、例えば約２５〜４５度付近を境界角として起伏二方向に付勢することで、紙切り板５の上開き状態とロール紙弾圧状態とを選択的に維持可能となし、この紙切り板５の前辺下面５Ａを前記ロール紙３の上部前寄り外周面に図３における中間図のように圧接することで、その前辺下面５Ａを経て前方へ繰り出したロール紙３の繰り出し部３Ｂを前記紙切り板５の前辺刃先５Ｂで同図のようにカット可能となしたロール紙ホルダを作るに当たり、前記枢支孔から側体外部に突出させた回転枢軸４に紙切り板５と共に動く図４のような回動片６をその取着基部６Ａで凹凸結合などの固定手段により図１および図２のように強固に取着突設する。
【００１１】
次いで、上記回動片６の近くにおける前記側体１の外面に、図４のような側面がほぼ扇状のギヤ片７をそのほぼ中央下部における枢支部７Ｃを支点としてシーソー回動可能に図１・図２のように枢支して備え、このギヤ片７の後部７Ａに突設したばね止めピン７Ｂと前記紙切り板５と共に動く回動片６に突設したばね止めピン６Ｂとの間に、ばね線材やばね帯板を図４のようにほぼΩ字状やＣ字状に弯曲形成した弾撥ばね８をその固有弾撥力に抗し、図１・図２のようにすぼめた状態で妄動しないように介在し、前記紙切り板５の開き角度が図２のような前記所定開き角度付近を境界角として紙切り板５を図２および図３のように起伏二方向に上記弾撥ばね８の弾撥力で付勢し、上記各図のように紙切り板５の上開き状態とロール紙弾圧状態とを選択的に維持できるようにする。
【００１２】
そして，前記ギヤ片７の前側におけるギヤ部７Ｄには、図４のようなウォームギヤ９を図１のように噛合させ、このウォームギヤ９を図２・図５のように側体１に上下の枢支部９Ａで縦方向に枢支すると共に、その上部操作軸９Ｂを前記側体１の上孔１Ｂを経て外部に突出し、この突出部分に操作摘み９Ｃを設け、この操作摘みを手指などで回転させることで、上記ウォームギヤ９を介してギヤ片７の回動角を図２・図６・図７のように所定範囲だけ変化させ、この変化したギヤ片７の回動角に対応させて弾撥ばね８のすぼまり寸法、すなわち弾撥ばね８の弾撥力を変化させることで、ロール紙３に対する紙切り板５の弾圧力を使用ロール紙の種類に適応して上記各図のようにウォームギヤ９の回転操作により随時可変設定できるようにした本発明によるロール紙ホルダの実施形態を構成できた。
【００１３】
ただし、上記ウォームギヤ９とギヤ片７との噛合関係については、一般的なウォームギヤとギヤホイールとの噛合関係と同様に、ウォームギヤ９を回転させれば、ギヤ片７は回動するが、ギヤ片７に加わっている弾撥ばね８の弾撥力では、ウォームギヤ９は回転せず、ギヤ片７はその固定状態を維持てき、ギヤ片は妄りに動かない。
また、前記紙切り板５の開き角度が所定開き角度（約３０度付近）で、図４のように前記弾撥ばね８の両端同士がが最も接近するように、前記ギヤ片７のばね止めピン７Ｂと前記回動片６のばね止めピン６Ｂとの位置を設定することで、紙切り板５が上記所定開き角度を境界角として、図１、図２に示す上開き状態と図４に示すロール紙弾圧状態とを前記一つの弾撥ばね８で選択的に維持可能に構成する。
さらに、前記ロール紙ホルダＨは、図２のようにトイレットの壁面ａなどにコンクリ釘などの止め具で取付け固定して用いる。
【００１４】
本発明の構成は、以上のようなもので、以下にその使用動作例を説明する。
ロール紙３に中程度の切断力で切断できる極く普通のものを最終ユーザが使用するときは、先ず、ギヤ片７をウォームギヤ９の回転操作摘み９Ｃの回転操作で図２のように弾撥ばね８の開き角度つまり、その弾撥力を中程度に設定した後、ロール紙３を手前に所望長だけ引き出してロール紙繰り出し部３Ｂを作っておき、紙切り板５を図１、図２の上開き状態から図３における上図のように所定開き角度（約３０度付近）以下まで前記弾撥ばね８の開き弾撥力に抗し手動で傾動すると今度は、紙切り板５が弾撥ばね８の弾撥力でロール紙３の上面に向かい図３における中間図のように自動的に伏せ動き、紙切り板前辺下面５Ａがロール紙３の上部に弾接し、紙切り板５のロール紙弾圧状態となる。
次いで、上記中間図におけるロール紙繰り出し部３Ｂを前記中程度のロール紙弾圧力を利用して紙切り板前辺刃先５Ｂに対し上方斜めに折曲しつつ強制的に上動させることで、この刃先５Ｂでロール紙繰り出し部３Ｂの基部をカットして使用できる。
【００１５】
次に、ロール紙３に二枚合わせ、または厚手のロール紙のような外力に対し強く、カットしづらいロール紙３を使用するときは、前記ロール紙カット時に紙切り板５に加わる強めの切断応力でその浮上を阻止するため、最終ユーザは、ウォームギヤ９の回転操作摘み９Ｃの回転操作でギヤ片７を図６のように上ストッパＳ１付近まで回動してほぼ水平とし、ギヤ片７のばね止めピン７Ｂを回動片６のばね止めピン６Ｂに近づけることで、弾撥ばね８の両端開き間隔を小さくし、弾撥ばね８の弾撥力を強めてロール紙３に対する紙切り板５の弾圧力を強めることで、上記外力に対し強く、カットしづらいロール紙３でも紙切り板前辺刃先５Ｂを浮上させずにこの刃先５Ｂでカットして使用することができるとともに、ロール紙弾圧力が上記のように強くなっていても、この時の使用ロール紙３は外力に対し強く切断しづらいロール紙だから、その繰り出し部３Ｂを紙切り板前辺下面５Ａによる上記強めの弾圧力では千切らせずに繰り出すことができる。
【００１６】
また、これとは逆に、薄手一枚のロール紙のように紙力が弱く切り易いロール紙３を使用するときは、ロール紙３の繰り出し時に、この繰り出し部３Ｂが紙切り板前辺下面５Ａによる弾圧力で千切れないようにするため、最終ユーザは、ウォームギヤ９の回転操作摘み９Ｃの回転操作で前記ギヤ片７を図７のように下ストッパＳ２付近まで前下がりに傾け、ギヤ片７のばね止めピン７Ｂを回動片６のばね止めピン６Ｂから遠ざけることで、弾撥ばね８の両端開き間隔を大きくし、その弾撥力を弱めてロール紙３に対する紙切り板５の弾圧力を弱めることで、ロール紙３を千切らせずに繰り出せるとともに、ロール紙弾圧力が弱まっていても、ロール紙３は上記のように切断し易いので、紙切り板５を浮上させないで上記繰り出し部３Ｂの基部を前記刃先５Ｂでカットして使用することができる。
【００１７】
使用済となったロール紙芯管３Ｃは、図３、図６および図７における各最下図ように、弾撥ばね８の弾撥力に抗して手動で紙切り板５を開いた後、芯管３Ｃを上動させることで、空心受け２をその水平復帰力に抗して上に傾動させて取外すことができ、新しいロール紙３を前述した通り、その芯管３ＣでホルダＨに枢支セットし、紙切り板５を前記のように伏せてロール紙３の上部を弾圧することで、次の使用形態をを採ることができる。
なお、図３、図６および図７における各最下図における紙切り板５を伏せたまま、ロール紙３またはその芯管３Ｃを空心受け２の水平復帰力と弾撥ばね８による紙切り板５の下動力との和の力に抗して一挙に上動させることで、前記した芯管３Ｃの取外しが実行でき、紙切り板５は前記上開き位置で弾撥ばね８の弾撥力により図２のように自動停止しているので、ロール紙３の交換セットが容易である。
【実施例】
【００１８】
以下、本発明によるロール紙ホルダにおける要部の具体例を説明する。
先ず、前記弾撥ばね８の実装例としては、板ばね材を図４のようにΩ字状やＣ字状に形成した弾撥ばね８の両端を丸めて作った二つの枢支部８Ａ同士を同図のように弾撥ばね８の開き弾撥力に抗し、すぼめて前記回動片６とギヤ片７の各ばね止めピン６Ｂ・７Ｂに図１・図３のように遊嵌して取付けた後、これら各ピンの先端部を加熱軟化して押し潰すことなどにより、弾撥ばね８の抜け止めと脇へのクネリ変形などの妄動止めとを施こす。
【００１９】
なお、前記各図において、符号で１Ｃで示す部材は、側体１の外面に前記ギヤ片７・弾撥ばね８・ウォームギヤ９を実装後、その外面を覆って目隠しするための浅皿形側体カバーであり、さらに空心受け２は、その基部２Ａで図１のように側体１に対し、その凹所１Ｄ内に横枢軸１Ｅ（図１・図３参照）で枢支するとともに、水平復帰ばね１Ｆとストッパ等からなる周知の対向復帰手段で、常には図１のように水平方向に向くようにし、ロール紙３をその空心３Ａで回転可能に枢支可能とする。
また、空心受け２をロール紙芯管３Ｃまたはロール紙３の上動で上記ばねの弾力に抗し上向きに回動させることで、ホルダＨから空になったロール紙芯管３Ｃを取出し、新しいロール紙３を空心受け２の下部から空心受け２を傾動しながら上動させることで、ロール紙空心３Ａ（または芯管３Ｃ）内に空心受け２を突出復帰させてロール紙３を枢支し、この枢支状態を前記ばね等による水平回動復帰手段で維持できるようにしてある。
【図面の簡単な説明】
【００２０】
【図１】本発明の実施形態の一例を示す要部切欠斜視図
【図２】本発明の実施形態の一例を示す要部切欠の側面図
【図３】本発明の使用形態の一例を示す要部切欠の側面図
【図４】本発明の実施形態の一例を示す要部切欠の分解斜視図
【図５】本発明における要部の一例を示す拡大斜視図
【図６】本発明の使用形態の一例を示す要部切欠の側面図
【図７】図６に示すものと状態を異にした要部切欠の側面図
【符号の説明】
【００２１】
Ｈ…ロール紙ホルダ
１…ホルダ側体
１Ａ…側体の枢支孔
１Ｂ…側体上孔
２…ロール紙空心受け
３…ロール紙
３Ａ…ロール紙空心
３Ｂ…ロール紙繰り出し部
４…回転枢軸
５…紙切り板
５Ａ…紙切り板の前辺下面
５Ｂ…紙切り板の前辺刃先
６…回動片
６Ａ…回動片の枢支基部
６Ｂ…回動片のばね止めピン
７…ギヤ片
７Ａ…ギヤ片の後部
７Ｂ…ギヤ片のばね止めピン
７Ｃ…ギヤ片の枢支部
８…ほぼΩ字状の弾撥ばね
９…ウォームギヤ
９Ａ…ウォームギヤの枢支部
９Ｂ…ウォームギヤの操作軸
９Ｃ…ウォームギヤの操作摘み
【図１】
2005102984.tif 000003
【図２】
2005102984.tif 000004
【図３】
2005102984.tif 000005
【図４】
2005102984.tif 000006
【図５】
2005102984.tif 000007
【図６】
2005102984.tif 000008
【図７】
2005102984.tif 000009